【手続補正書】
【提出日】平成15年11月26日(2003.11.26)
【手続補正１】
【補正対象書類名】明細書
【補正対象項目名】発明の名称
【補正方法】変更
【補正の内容】
【発明の名称】情報管理装置、デバイス制御装置及び情報管理方法


【手続補正２】
【補正対象書類名】明細書
【補正対象項目名】特許請求の範囲
【補正方法】変更
【補正の内容】
【特許請求の範囲】
【請求項１】
デバイス装置に関する情報を示すコンテンツデータを外部装置に送信する情報管理装置であって、
前記コンテンツデータが前記デバイス装置の機種に依存するものでなければ、前記情報管理装置内の記憶部から取得し、前記コンテンツデータが前記デバイス装置の機種に依存するものであれば、前記デバイス装置内の記憶部から取得する取得手段と、
前記取得手段により取得された前記コンテンツデータが外部装置に送信されるように制御する送信制御手段とを有することを特徴とする情報管理装置。
【請求項２】
前記取得手段は、前記コンテンツデータが前記デバイス装置の機種に依存するものであれば、前記コンテンツデータの要求を前記デバイス装置に送信し、当該コンテンツデータを当該デバイス装置から受信することを特徴とする請求項１に記載の情報管理装置。
【請求項３】
前記外部装置からの要求に応じて、前記コンテンツデータを送信する場合に、当該要求に含まれている、当該コンテンツデータを識別する識別情報に基づいて、当該コンテンツデータが、前記情報管理装置内の記憶部に格納されているか、前記デバイス装置内の記憶部に格納されているかを判定する判定手段を有し、
前記取得手段は、前記判定手段による判定結果に応じて、前記情報管理装置内の記憶部或いは前記デバイス装置内の記憶部から、前記コンテンツデータを取得することを特徴とする請求項１或いは２に記載の情報管理装置。
【請求項４】
前記識別情報はパス名であり、
前記判定手段は、前記パス名に含まれているディレクトリ部分に基づいて、当該コンテンツデータが、前記情報管理装置の記憶部に格納されているか、前記デバイス装置の記憶部に格納されているかを判定することを特徴とする請求項３に記載の情報管理装置。
【請求項５】
前記デバイス装置の機種に依存する前記コンテンツデータを示すリストに基づいて、当該コンテンツデータが、前記情報管理装置内の記憶部に格納されているか、前記デバイス装置内の記憶部に格納されているかを判定する判定手段を有し、
前記取得手段は、前記判定手段による判定結果に応じて、前記情報管理装置内の記憶部或いは前記デバイス装置内の記憶部から、前記コンテンツデータを取得することを特徴とする請求項１或いは２に記載の情報管理装置。
【請求項６】
前記識別情報は、ＵＲＬ表記されていることを特徴とする請求項３乃至５のいずれかに記載の情報管理装置。
【請求項７】
前記デバイス装置に装着されるネットワークボードであることを特徴とする請求項１乃至６のいずれかに記載の情報管理装置。
【請求項８】
前記コンテンツデータは、前記デバイス装置に関する情報をブラウザで表示するための表示用ドキュメントデータに従って、前記外部装置から要求されることを特徴とする請求項１乃至８のいずれかに記載の情報管理装置。
【請求項９】
デバイス装置に関する情報を示すデータを外部装置に送信する情報管理装置であって、
前記データが前記デバイス装置の機種に依存するものでなければ、前記情報管理装置内の記憶部から取得し、前記データが前記デバイス装置の機種に依存するものであれば、前記デバイス装置内の記憶部から取得する取得手段と、
前記取得手段により取得された前記データが外部装置に送信されるように制御する送信制御手段とを有することを特徴とする情報管理装置。
【請求項１０】
要求に応じて、デバイス装置に関する情報を示すコンテンツデータを提供するデバイス制御装置であって、
前記デバイス装置の機器構成を判別する判別手段と、
機器構成を示す複数のコンテンツデータのうち、前記判別手段により判別された機器構成に対応するコンテンツデータを特定する特定手段とを有し、
前記特定手段により特定されたコンテンツデータを、要求に応じて提供するコンテンツデータとすることを特徴とするデバイス制御装置。
【請求項１１】
デバイス装置に関する情報を表示するためのドキュメントデータを外部装置に送信する情報管理装置であって、
前記デバイス装置の機器構成を、前記デバイス装置から取得する取得手段と、
前記取得手段により取得された機器構成を表示するための構文を前記ドキュメントデータに含めて、当該ドキュメントデータが前記外部装置に送信されるように制御する制御手段とを有することを特徴とする情報管理装置。
【請求項１２】
デバイス装置に関する情報を表示するためのドキュメントデータを外部装置に送信する情報管理装置であって、
前記デバイス装置の機器状態を、前記デバイス装置から取得する取得手段と、
前記取得手段により取得された機器状態に対応するメッセージを前記ドキュメントデータに含めて、当該ドキュメントデータが前記外部装置に送信されるように制御する制御手段とを有することを特徴とする情報管理装置。
【請求項１３】
デバイス装置に関する情報を示すデータを外部装置に送信する情報管理方法であって、
前記データが前記デバイス装置の機種に依存するものでなければ、前記情報管理装置内の記憶部から取得し、前記データが前記デバイス装置の機種に依存するものであれば、前記デバイス装置内の記憶部から取得する取得ステップと、
前記取得ステップにより取得された前記データが外部装置に送信されるように制御する送信制御ステップとを有することを特徴とする情報管理方法。
【請求項１４】
要求に応じて、デバイス装置に関する情報を示すコンテンツデータを提供する情報管理方法であって、
前記デバイス装置の機器構成を判別する判別ステップと、
機器構成を示す複数のコンテンツデータのうち、前記判別ステップにより判別された機器構成に対応するコンテンツデータを特定する特定ステップとを有し、
前記特定ステップにより特定されたコンテンツデータを、要求に応じて提供するコンテンツデータとすることを特徴とする情報管理方法。
【請求項１５】
デバイス装置に関する情報を表示するためのドキュメントデータを外部装置に送信する情報管理方法であって、
前記デバイス装置の機器構成を、前記デバイス装置から取得する取得ステップと、
前記取得ステップにより取得された機器構成を表示するための構文を前記ドキュメントデータに含めて、当該ドキュメントデータが前記外部装置に送信されるように制御する制御ステップとを有することを特徴とする情報管理方法。
【請求項１６】
デバイス装置に関する情報を表示するためのドキュメントデータを外部装置に送信する情報管理方法であって、
前記デバイス装置の機器状態を、前記デバイス装置から取得する取得ステップと、
前記取得ステップにより取得された機器状態に対応するメッセージを前記ドキュメントデータに含めて、当該ドキュメントデータが前記外部装置に送信されるように制御する制御ステップとを有することを特徴とする情報管理方法。
【手続補正３】
【補正対象書類名】明細書
【補正対象項目名】００１５
【補正方法】変更
【補正の内容】
【００１５】
【課題を解決するための手段】
上記課題を解決するために、本発明に係る情報管理装置は、デバイス装置に関する情報を示すコンテンツデータを外部装置に送信する情報管理装置であって、前記コンテンツデータが前記デバイス装置の機種に依存するものでなければ、前記情報管理装置内の記憶部から取得し、前記コンテンツデータが前記デバイス装置の機種に依存するものであれば、前記デバイス装置内の記憶部から取得する取得手段と、前記取得手段により取得された前記コンテンツデータが外部装置に送信されるように制御する送信制御手段とを有することを特徴とする。


【手続補正４】
【補正対象書類名】明細書
【補正対象項目名】００１６
【補正方法】変更
【補正の内容】
【００１６】
または、本発明に係る情報管理装置では、前記取得手段は、前記コンテンツデータが前記デバイス装置の機種に依存するものであれば、前記コンテンツデータの要求を前記デバイス装置に送信し、当該コンテンツデータを当該デバイス装置から受信することを特徴とする。


【手続補正５】
【補正対象書類名】明細書
【補正対象項目名】００１７
【補正方法】変更
【補正の内容】
【００１７】
または、本発明に係る情報管理装置では、前記外部装置からの要求に応じて、前記コンテンツデータを送信する場合に、当該要求に含まれている、当該コンテンツデータを識別する識別情報に基づいて、当該コンテンツデータが、前記情報管理装置内の記憶部に格納されているか、前記デバイス装置内の記憶部に格納されているかを判定する判定手段を有し、前記取得手段は、前記判定手段による判定結果に応じて、前記情報管理装置内の記憶部或いは前記デバイス装置内の記憶部から、前記コンテンツデータを取得することを特徴とする。


【手続補正６】
【補正対象書類名】明細書
【補正対象項目名】００１８
【補正方法】変更
【補正の内容】
【００１８】
または、本発明に係る情報管理装置では、前記識別情報はパス名であり、前記判定手段は、前記パス名に含まれているディレクトリ部分に基づいて、当該コンテンツデータが、前記情報管理装置の記憶部に格納されているか、前記デバイス装置の記憶部に格納されているかを判定することを特徴とする。


【手続補正７】
【補正対象書類名】明細書
【補正対象項目名】００１９
【補正方法】変更
【補正の内容】
【００１９】
または、本発明に係る情報管理装置では、前記デバイス装置の機種に依存する前記コンテンツデータを示すリストに基づいて、当該コンテンツデータが、前記情報管理装置内の記憶部に格納されているか、前記デバイス装置内の記憶部に格納されているかを判定する判定手段を有し、前記取得手段は、前記判定手段による判定結果に応じて、前記情報管理装置内の記憶部或いは前記デバイス装置内の記憶部から、前記コンテンツデータを取得することを特徴とする。


【手続補正８】
【補正対象書類名】明細書
【補正対象項目名】００２０
【補正方法】変更
【補正の内容】
【００２０】
または、本発明に係る情報管理装置では、前記識別情報は、ＵＲＬ表記されていることを特徴とする。


【手続補正９】
【補正対象書類名】明細書
【補正対象項目名】００２１
【補正方法】変更
【補正の内容】
【００２１】
または、本発明に係る情報管理装置では、前記デバイス装置に装着されるネットワークボードであることを特徴とする。


【手続補正１０】
【補正対象書類名】明細書
【補正対象項目名】００２２
【補正方法】変更
【補正の内容】
【００２２】
または、本発明に係る情報管理装置では、前記コンテンツデータは、前記デバイス装置に関する情報をブラウザで表示するための表示用ドキュメントデータに従って、前記外部装置から要求されることを特徴とする。


【手続補正１１】
【補正対象書類名】明細書
【補正対象項目名】００２３
【補正方法】変更
【補正の内容】
【００２３】
上記課題を解決するために、本発明に係る情報管理装置は、デバイス装置に関する情報を示すデータを外部装置に送信する情報管理装置であって、前記データが前記デバイス装置の機種に依存するものでなければ、前記情報管理装置内の記憶部から取得し、前記データが前記デバイス装置の機種に依存するものであれば、前記デバイス装置内の記憶部から取得する取得手段と、前記取得手段により取得された前記データが外部装置に送信されるように制御する送信制御手段とを有することを特徴とする。


【手続補正１２】
【補正対象書類名】明細書
【補正対象項目名】００２４
【補正方法】変更
【補正の内容】
【００２４】
上記課題を解決するために、本発明に係る情報管理装置は、要求に応じて、デバイス装置に関する情報を示すコンテンツデータを提供するデバイス制御装置であって、前記デバイス装置の機器構成を判別する判別手段と、機器構成を示す複数のコンテンツデータのうち、前記判別手段により判別された機器構成に対応するコンテンツデータを特定する特定手段とを有し、前記特定手段により特定されたコンテンツデータを、要求に応じて提供するコンテンツデータとすることを特徴とする。


【手続補正１３】
【補正対象書類名】明細書
【補正対象項目名】００２５
【補正方法】変更
【補正の内容】
【００２５】
上記課題を解決するために、本発明に係る情報管理装置は、デバイス装置に関する情報を表示するためのドキュメントデータを外部装置に送信する情報管理装置であって、前記デバイス装置の機器構成を、前記デバイス装置から取得する取得手段と、前記取得手段により取得された機器構成を表示するための構文を前記ドキュメントデータに含めて、当該ドキュメントデータが前記外部装置に送信されるように制御する制御手段とを有することを特徴とする。


【手続補正１４】
【補正対象書類名】明細書
【補正対象項目名】００２６
【補正方法】変更
【補正の内容】
【００２６】
上記課題を解決するために、本発明に係る情報管理装置は、デバイス装置に関する情報を表示するためのドキュメントデータを外部装置に送信する情報管理装置であって、前記デバイス装置の機器状態を、前記デバイス装置から取得する取得手段と、前記取得手段により取得された機器状態に対応するメッセージを前記ドキュメントデータに含めて、当該ドキュメントデータが前記外部装置に送信されるように制御する制御手段とを有することを特徴とする。


【手続補正１５】
【補正対象書類名】明細書
【補正対象項目名】００２７
【補正方法】変更
【補正の内容】
【００２７】
上記課題を解決するために、本発明に係る情報管理方法は、デバイス装置に関する情報を示すデータを外部装置に送信する情報管理方法であって、前記データが前記デバイス装置の機種に依存するものでなければ、前記情報管理装置内の記憶部から取得し、前記データが前記デバイス装置の機種に依存するものであれば、前記デバイス装置内の記憶部から取得する取得ステップと、前記取得ステップにより取得された前記データが外部装置に送信されるように制御する送信制御ステップとを有することを特徴とする。


【手続補正１６】
【補正対象書類名】明細書
【補正対象項目名】００２８
【補正方法】変更
【補正の内容】
【００２８】
上記課題を解決するために、本発明に係る情報管理方法は、要求に応じて、デバイス装置に関する情報を示すコンテンツデータを提供する情報管理方法であって、前記デバイス装置の機器構成を判別する判別ステップと、機器構成を示す複数のコンテンツデータのうち、前記判別ステップにより判別された機器構成に対応するコンテンツデータを特定する特定ステップとを有し、前記特定ステップにより特定されたコンテンツデータを、要求に応じて提供するコンテンツデータとすることを特徴とする。


【手続補正１７】
【補正対象書類名】明細書
【補正対象項目名】００２９
【補正方法】変更
【補正の内容】
【００２９】
上記課題を解決するために、本発明に係る情報管理方法は、デバイス装置に関する情報を表示するためのドキュメントデータを外部装置に送信する情報管理方法であって、前記デバイス装置の機器構成を、前記デバイス装置から取得する取得ステップと、前記取得ステップにより取得された機器構成を表示するための構文を前記ドキュメントデータに含めて、当該ドキュメントデータが前記外部装置に送信されるように制御する制御ステップとを有することを特徴とする。


【手続補正１８】
【補正対象書類名】明細書
【補正対象項目名】００３０
【補正方法】変更
【補正の内容】
【００３０】
上記課題を解決するために、本発明に係る情報管理方法は、デバイス装置に関する情報を表示するためのドキュメントデータを外部装置に送信する情報管理方法であって、前記デバイス装置の機器状態を、前記デバイス装置から取得する取得ステップと、前記取得ステップにより取得された機器状態に対応するメッセージを前記ドキュメントデータに含めて、当該ドキュメントデータが前記外部装置に送信されるように制御する制御ステップとを有することを特徴とする。


【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】０１２１
【補正方法】変更
【補正の内容】
【０１２１】
【発明の効果】
以上のように、本発明によれば、コンテンツデータを機種依存なものと機種非依存なものに分類し、依存するものはデバイス装置内に、依存しないものは情報管理装置内に分散配置し、以下の効果を得ることができる。


【手続補正２４】
【補正対象書類名】明細書
【補正対象項目名】０１２２
【補正方法】変更
【補正の内容】
【０１２２】
まず、（１）情報管理装置が、自機が接続される可能性のある全てのデバイス装置のモデルに関して、コンテンツデータを持つ必要がなく、情報管理装置のメモリ容量のコストが削減されることが可能となる。


【手続補正２５】
【補正対象書類名】明細書
【補正対象項目名】０１２３
【補正方法】変更
【補正の内容】
【０１２３】
（２）同様の理由で、情報管理装置は、将来開発されるであろうデバイス装置に対応する際に、ＲＯＭ交換なしで対応可能となる。


【手続補正２６】
【補正対象書類名】明細書
【補正対象項目名】０１２４
【補正方法】変更
【補正の内容】
【０１２４】
（３）コンテンツデータが外部装置に送信されるように制御する送信制御手段および機種非依存なコンテンツデータが情報管理装置にあるため、情報管理装置が不要な場合には、デバイス装置のコストアップを抑えることが可能となる。


【手続補正２７】
【補正対象書類名】明細書
【補正対象項目名】０１２５
【補正方法】変更
【補正の内容】
【０１２５】
または、本発明により、デバイス装置の現在の機器構成を知らなくても、単一のコンテンツデータ名を問い合わせるだけで、デバイス装置の機器構成に対応したコンテンツデータを取得することが可能である。或いは、デバイス装置で動的な状態変化が発生した場合にも、状態に対応したＬＥＤの画像データやメッセージを受け取ることが可能である。